(57)【要約】【課題】棒状フック装置に簡単かつ安定良く取付けできるカード類表示具を提供する。【手段】二段式のフック装置に取り付けるカード類表示具１１は、上段フック体２に取り付く本体部１２と、本体部１２に取り付くカードケース１３とから成っている。本体部１２はその左右側板１２ａで上段フック体３の上向き部３ａを挟んでおり、このため回転不能に保持されている。また、本体部１２は、前後にずちして配置された上ストッパー部１５と第１下ストッパー部１４とを有しており、これにより、下向き倒れ不能に保持されている。カードケース１３は上下挟持体２０，２１に跳ね上げ自在で水平旋回可能に取付けられている。【選択図】図２
2009018039.tif 000002
【特許請求の範囲】
【請求項１】
陳列装置に取り付くベース体に、商品を吊り下げる棒状の下段フック体とカード類を装着するための棒状の上段フック体とが平行に延びるように一体に設けられており、前記上段フック体の先端には上向き部が折り曲げ形成されている、
という２段式棒状フック装置の前記上段フック体に取り付けられるカード類表示具であって、
前記上段フック体の上向き部を左右から挟むことで回転不能に保持される本体部を備えており、この本体部に、前記上段フック体に下方から当たる下ストッパー部と上段フック体に上方から当たる上ストッパー部とが前後に隔てて設けられており、上ストッパー部と下ストッパー部との間に上段フック体を差し込み可能な間隔を空けることにより、上ストッパー部と下ストッパー部との間の部位を前記上段フック体の先端より嵌め入れて奥側にスライドさせ得るようになっており、更に、前記本体部の先端部には、カード類を装着できる表示部が一体に又は別部材として設けられている、
商品陳列用２段式棒状フック装置に使用するカード類表示具。
【請求項２】
前記本体部には、上ストッパー部を挟んだ前後両側に一対の下ストッパー部が形成されており、このため本体部は三点支持の状態で上段フック体に取付けられるようになっている、
請求項１に記載した商品陳列用２段式棒状フック装置に使用するカード類表示具。
【請求項３】
陳列装置の横長バーに上方から嵌合する側面視下向き開口コ字状形のベース体と、商品を吊り下げるための断面円形の棒状フック体とから成っており、前記棒状フック体は前記横長バーと直交した前後方向に延びるように水平状に配置されており、この棒状フック体の後端部をベース体の上面に溶接によって固着しており、このためベース体の上面と棒状フック体の外周との間には棒状フック体を挟んだ左右両側に前後長手の横向き開口溝が形成されている、
というシングル式棒状フック装置に取付けられるカード類表示具であって、
前記棒状フック体のうちベース体に重なっている部分から上向きに立ち上がった支持部と、前記支持部から前向きに延びるアーム部とを備えており、
前記基部には、前記棒状フック装置の横向き開口溝に入り込むリアストッパー部と、ベース体の手前側において棒状フック体に下方から当たり得るフロントストッパー部とが一体に形成されており、支持部とフロントストッパー部との間には、棒状フック体を差し込みできる間隔が空いている一方、
前記アーム部の先端部には、カード類を装着できる表示部が一体に又は別部材として設けられている、
商品陳列用シングル式棒状フック装置に使用するカード類表示具。
【請求項４】
前記表示部は本体部又はアーム部とは別部材のカードケースになっており、前記カードケースを、本体部又はアーム部に対して跳ね上げ回動自在及び水平姿勢変更自在に取付けている、
請求項１〜３のうちのいずれかに記載した棒状フック装置に使用するカード類表示具。
【発明の詳細な説明】
【技術分野】
【０００１】
本願発明は、一般に十手フックと呼ばれている商品陳列用の２段式棒状フック装置に使用されるカード類表示具、及び、一般にシングルフックと呼ばれている商品陳列用のシングル式棒状フック装置に使用されるカード類表示具に関するものである。
【背景技術】
【０００２】
これら十手フックやシングルフックと俗称されているフック装置は、各種の店舗において吊り下げ式の商品の陳列に多用されている。このうち十手フックは上段フック体をプライスカードの取り付けに使用するのものであり、上段フック体の先端は上向きに折り曲げられた垂直部になっていて、この垂直部を利用して合成樹脂製等のカードケースを取付けている。
【０００３】
そして、従来は、カードケースは表示面が固定的であって顧客が通路を通行しながら内容を視認しにくい場合があるという問題があった。これに対して特許文献１には、表示面の姿勢を変更できるように平面視での姿勢を簡単に変え得る状態で上段のフックに取付けできるプライスカードが提案されており、この特許文献１の実施物は広く市場に出回っている。
【０００４】
他方、シングルフックにプライス表示機能を設けることも多く提案されており、その一例として本願出願人は、特許文献２において、フック体の後端部を挟持する支持体にフック体の上方において手前側に延びるアームを前後スライド可能に装着して、このアームの先端にカード表示部を設けたものを開示した。
【特許文献１】特開平１１−２０６５２４号公報
【特許文献２】特開平１０−２４８６９０号公報
【発明の開示】
【発明が解決しようとする課題】
【０００５】
シングルフックにカード類表示具を装着する場合の技術的な問題は、取付けの容易性と取付け強度とを両立し難いことである。シングルフックは丸棒製のフック体の後端部を板材製でコ字状のベース体に溶接した構造であり、フック体の後端部とベース体との間には左右一対の横向き開口溝が形成されている。そこで、シングルフック用のカード類表示具は、その取付け手段として、フックの後端部をカード類表示具の支持部で左右両側から挟持するようにしているが、従来は支持部をフックの後部に上方から嵌め込んでいたため、支持体の挟持力を強くすると嵌め込みに力が掛かり、逆に容易に嵌め込みできるようにすると保持力が弱くなるという問題があった。
【０００６】
また、十手フックにおける上段フック体に取り付けるカード類表示具については、例えば、前後位置を変更可能な状態にして欲しいという要望があるが、この要望に応える場合は、単なる上方からの嵌め込み式の場合は前端に上向き力が掛かると外れてしまうという問題があり、そこで、この場合も、容易に取付けできてしかも上方又は下方からの外力が掛かっても外れない構造にせねばならない。
【０００７】
本願発明はこのような実情に鑑み成されたものであり、十手フックやシングルフックに取り付けるカード類表示具において、取付けが容易でありながら高い保持力を発揮できる構造を実現せんとするものである。
【課題を解決するための手段】
【０００８】
本願発明のカード類表示具は、基本的に２つのバージョンを含んでいる。第１のバージョンは、請求項１のとおり、「陳列装置に取り付くベース体に、商品を吊り下げる棒状の下段フック体とカード類を装着するための棒状の上段フック体とが平行に延びるように一体に設けられており、前記上段フック体の先端には上向き部が折り曲げ形成されている」、という２段式フック装置（十手フック）の前記上段フック体に取り付けられるものである。
【０００９】
そして、この２段式棒状フック装置用のカード類表示具は、「前記上段フック体の上向き部を左右から挟むことで回転不能に保持される本体部を備えており、この本体部に、前記上段フック体に下方から当たる下ストッパー部と上段フック体に上方から当たる上ストッパー部とが前後に隔てて設けられており、上ストッパー部と下ストッパー部との間に上段フック体を差し込み可能な間隔を空けることにより、上ストッパー部と下ストッパー部との間の部位を前記上段フック体の先端より嵌め入れて奥側にスライドさせ得るようになっており、更に、前記本体部の先端部には、カード類を装着できる表示部が一体に又は別部材として設けられている」、という構成になっている。
【００１０】
この第１のバージョンは様々の構成を含んでいるが、好適な一例として請求項２では、「前記本体部には、上ストッパー部を挟んだ前後両側に一対の下ストッパー部が形成されており、このため本体部は三点支持の状態で上段フック体に取付けられるようになっている」という構成になっている。
【００１１】
本願発明の第２の基本バージョンは、請求項３のとおり、「陳列装置の横長バーに上方から嵌合する側面視下向き開口コ字状形のベース体と、商品を吊り下げるための断面円形の棒状フック体とから成っており、前記棒状フック体は前記横長バーと直交した前後方向に延びるように水平状に配置されており、この棒状フック体の後端部をベース体の上面に溶接によって固着しており、このためベース体の上面と棒状フック体の外周との間には棒状フック体を挟んだ左右両側に前後長手の横向き開口溝が形成されている」、というシングル式棒状フック装置（シングルフック）に取付けられるものである。
【００１２】
そして、このシングル式棒状フック装置用のカード類表示具は、「前記棒状フック体のうちベース体に重なっている部分から上向きに立ち上がった支持部と、前記支持部から前向きに延びるアーム部とを備えており、前記基部には、前記棒状フック装置の横向き開口溝に入り込むリアストッパー部と、ベース体の手前側において棒状フック体に下方から当たり得るフロントストッパー部とが一体に形成されており、支持部とフロントストッパー部との間には、棒状フック体を差し込みできる間隔が空いている一方、前記アーム部の先端部には、カード類を装着できる表示部が一体に又は別部材として設けられている」、という構成になっている。
【００１３】
本願発明は更に、前記両基本バージョンに共通した好適な構成も含んでおり、この構成は、請求項４に記載したとおり、請求項１〜３のうちのいずれかにおいて、前記表示部は本体部又はアーム部とは別部材のカードケースになっており、前記カードケースを、本体部又はアーム部に対して跳ね上げ回動自在及び水平姿勢変更自在に取付けている。
【発明の効果】
【００１４】
請求項１の発明では、カード類表示具を十手式フック装置の上段フック体に取り付けるにおいては、例えばカード類表示具を表示部が上になるように大きく起こした姿勢にすることにより、上ストッパー部と下ストッパー部との間の部分を上段フック体の先端に嵌め入れて、それから姿勢を本来の姿勢に戻すという手順を採れば良い。
【００１５】
すなわち、本願発明のカード類表示具は上段フック体にその先端から嵌め入れて奥側にスライドさせて取り付けるという点に特徴があり、このような方法で取付けられることにより、部材を強引に変形させるようなことをしなくても容易に取り付けできるのであり、しかも、取り付けた後においては、上下ストッパーの支持作用により、カード類表示具は下向きの外力が掛かってもカード類表示具が外れることを防止できる。
【００１６】
従って、請求項１では、十手式のフック装置に取り付けるカード類表示具において、取付けの容易性と取付け後の外れ防止機能とを同時に達成できるのである。特に、上下ストッパーの配置は種々具体化できるが、請求項２のように上ストッパー部を挟んだ前後に下ストッパー部を設けて三点支持の状態にすると、カード類表示具は、下向きの外力と上向きの外力との両方に対して抗して姿勢が保持されるため、特に好適である。また、実施形態のように突起のように上段フック体の上向き部に係合する位置決め手段を設けると、フック装置の寸法の違いに対応できると共に、カード類の前後位置を変えることも簡単に行えて好適である。
【００１７】
他方、請求項３の構成では、カード類表示具をフック装置に取付けるにおいては、カード類表示具を例えば大きく傾けることにより、先ず、基部とフロントストッパー部との間の部分をフック体の先端に嵌め込み、次いで、姿勢を本来の姿勢に戻してから、全体をフック装置のベース体に向けてスライドさせて、リアストッパー部をフック装置の横向き開口溝に嵌め込めば良い。
【００１８】
そして、取付けた状態では、リアストッパー部が横向き開口溝に嵌まっていることにより、カード類表示具が上方からの外力で下向きに倒れることが抑制され、また、フロントストッパー部がフック体に下方から当たっていることにより、カード類表示具が対する上方からの外力で下向きに倒れることが抑制され、また、フロントストッパー部がフック体に下方から当たっていることにより、カード類表示具が下方からの外力によって上向きに起きることが確実に防止される。
【００１９】
そして、フロントストッパー部はその弾性に抗しての変形を利用してフック装置の横向き開口溝に強引に嵌め込むものではなく、横向き開口溝に手前側から差し込むものであるため、フロントストッパー部を横向き開口溝に対して強く係合するように厚肉等に形成しても嵌め込みは軽い力で行うことができる。
【００２０】
従って、請求項３においても、シングル式のフック装置に取り付けるカード類表示具において、取付けの容易性と取付け後の外れ防止機能とを同時に達成できるのである。この場合、実施形態のようにリアストッパー部の箇所にフック体に上方から当たる抱持部を設けると、取付け強度をより一層向上できて好適である。
【００２１】
ところで、十手式のフック装置にしてもシングル式のフック装置にしても、店舗では、商品が吊り下げられているフック体の先端に人の身体（特に顔）が当たって怪我することが懸念されている。この点、請求項３のように構成すると、表示部を商品吊り下げ用フック体の手前に配置することにより、表示部を商品用フック体に対する保護部材として機能させることができ、しかも、表示部は跳ね上げ式であるため商品の出し入れには支障はない。また、請求項３の構成では、特許文献１と同様に表示部を顧客の流れに応じて視認効果が高い姿勢に変えることができる利点もある。
【発明を実施するための最良の形態】
【００２２】
次に、本発明の実施形態を図面に基づいて説明する。図１〜図３では第１実施形態を示しており、まず、この第１実施形態から説明する。図１のうち（Ａ）は平面図、（Ｂ）は側面図、（Ｃ）は（Ｂ）のＣ−Ｃ視断面図、図２は図１（Ａ）の II-II視断面図、図３は取付けの手順を示す断面図である。
【００２３】
(1).フック装置
この実施形態は十手式のフック装置に適用したもので請求項１の具体例である。フック装置は従来から広く知られている市販品であり、側面視下向き開口コ字状のベース体１と、商品を吊り下げる棒状の下段フック体２と、カード類保持用の上段フック体３とから成っている。上下のフック体２，３は１本の丸線材から成っていて鉛直姿勢の後端部４を介して一連に繋がっており、下段フック体２の後端部がベース体１の上面に溶接によって固着されている。
【００２４】
下段フック体２の先端部は緩い角度（水平に対して３０°程度）の傾斜部２ａになっており、他方は、上段フック体３の先端には上向き３ａが形成されている。本実施形態の上向き部３ａは鉛直姿勢になっているが、傾斜姿勢になっている場合もある。ベース体１は陳列装置の角パイプ製横バー５に上方から嵌まっている。ネット式の陳列棚もあり、この場合は上段フック体３と下段フック体２とを繋ぐ後端部４がベース体の前面に溶接されている。
【００２５】
(2).カード類表示具の本体部
本願発明を具体化したカード類表示具１１は、上段フック体３に装着される樹脂製の本体部１２と、本体部１２に着脱自在な樹脂製のカードケース１３とからなっている。カードケース１３は請求項１に記載した表示部の一例である。
【００２６】
本体部１２は上段フック体３の左右両側に位置する一対の側板１２ａを備えており、左右の側板１２ａで上段フック体３の上向き部３ａを左右から挟むことにより、上段フック体３の軸心回りに回転することが阻止されている。また、左右側板１２ａの後部には上段フック体３の下面に当たる第１下ストッパー部１４が一体に繋がっており、また、左右側板１２ａは、第１下ストッパー部１４のやや手前に位置したブリッジ状の上ストッパー部１５によっても一体に連結されており、更に、左右側板１２ａの下端は、上ストッパー部１５よりもやや手前の部位において第２下ストッパー部１６によっても一体に繋がっている。
【００２７】
本体部１２は第１下ストッパー部１４の箇所で上向きに開口した樋状になっている。そして、第１下ストッパー部１４が上ストッパー部１５よりも奥側に位置しているため、カード類表示具１１はその先端部に下向きの外力が掛かっても脱落不能に保持される。第１下ストッパー部１４と上ストッパー部１５との間には、上段フック体３を差し込みできる程度の間隔（空間）が空いている。第１下ストッパー部１４と第２下ストッパー部１６との間の部位は下向きに開口した切欠き１２ｃになっている。これは、射出成形法によって製造するに際しての上ストッパー部１５の型抜きのためのものであり、型抜きの容易性を犠牲にすれば第１下ストッパー部１４と第２下ストッパー部１６を連続させることも可能である。
【００２８】
第２下ストッパー部１６は、主として上向きの外力でカード類表示具１１が跳ね上がることを防止するためのものであり、いわば補助的なものであるので、第２下ストッパー部１６は、開口溝を挟んだ左右に分断して爪状に形成することも可能である。
【００２９】
本体１２は前後方向に長く延びており、このため、上ストッパー部１５の手前側において左右の側板１２ａは前後に長く延びている。そして、左右側板１２ａの内面に、上段フック体３の上向き部３ａに係合する内向き突起１７の対を前後適宜間隔で設けている。このため、カード類表示具１１の前後位置を段階的に調節することができる。位置決め手段としては突起１７に変えて溝（或いは平面視波形等の凹凸）を形成することも可能である。
【００３０】
フック装置はメーカーに上段フック体３の先端と下段フック体２の先端との間隔が異なるため、本実施形態のようにカード類表示具１１の前後位置を段階的に調節できる構成にすると、カードケース１３を常に下段フック体２の先端部近傍に位置させることができて好適である。いうまでもないが、カード類表示具１１は、ある程度の力をかけて押し引きすると、左右側板１２ａが撓み変形して前後位置を調節できる。
【００３１】
本実施形態では本体部１２の側板１２ａは下向きに大きく抉られた形状になっており、このため上段フック体３の先端部は上向き部３ａの上端部を除いて広い範囲で露出している。これは取付けの容易性や樹脂の節約等のためであり、図１（Ｂ）に一点差線１８で示すように、本体部１２の下面を水平状に延びる形態に形成することも可能である。
【００３２】
また、図２に一点鎖線で示すように、左右の側板１２ａを天板部１２ｄで一体に繋ぐことも可能であり、このように天板部１２ｄを設けると本体部１２は全体の剛性を向上できる（剛性強化手段としては、一点鎖線１８で示す部位に底板を形成することも可能であり、この場合は、底板は第２下ストッパー部１６と一体に連続させても良い。）。また、天板部１２ｄを上ストッパー部として機能させることも可能であり、この場合は、第１下ストッパー部１４を無くすことも可能である。
【００３３】
左右側板１２ａの前端には前壁１９が一体に繋がっており、この前壁１９に、カードケース１３を取り付けるための上挟持部２０と下挟持部２１とが一体に繋がっている。上挟持部２０は円板形状であって前壁１９とは細幅のブリッジ部２２を介して繋がっている。このため、上挟持部２０は弾性に抗して上向きに起こすことができる。
【００３４】
下挟持部２１は基本的にはリング状の形態を成しており、かつ、図１（Ａ）から理解できるように上挟持部２０の外側に広がっている。これは、本体部１１を射出成形法で製造するに際していわゆる抜き違いによって上下挟持部２０，２１を成形するための措置である。下挟持部２１の外周面は下広がりのテーパ状になっている。
【００３５】
(3).カードケースの取付け構造
カードケース１３は、プライスカードのようなカード類（図示せず）を挟む裏板２３と表板２４とを備えており、裏板２３の裏面に左右一対のブラケット２５を設け、左右ブラケット２５に、上下挟持部２０，２１の間に入り込む水平姿勢の支軸２６が一体に形成されている。左右ブラケット２５の間隔は下挟持部２１の外径よりも僅かに大きい寸法である。また、ブラケット２５の幅寸法は上下挟持部２０，２１の上下間隔よりも大きい寸法であり、このため、支軸２６が上下挟持部２０，２１の間から軸方向に抜け出ることはない。
【００３６】
本体部１２における下挟持部２１の上面には、支軸２６が嵌まる凹溝２７を形成している。この場合、凹溝２７は、平面視で上段フック体３と直交した姿勢のものと、上段フック体３の軸線に対して右に傾斜したものと、上段フック体３の軸線に対して左に傾斜したものとの３本を形成しており、このため、カードケース１３の表示面は、上段フック体３と正面から対向した姿勢と右に傾いた姿勢と左に傾いた姿勢との３つの姿勢に変更することができる。傾斜姿勢は３０°程度に設定している。
【００３７】
カードケース１３の支軸２６は、上下挟持部２０，２１の弾性変形を利用して凹溝２７に嵌め込むことができ、また、上下挟持部２０，２１の弾性変形を利用してカードケース１３の平面視姿勢を変えることができる。本実施形態では、一つの特徴として、カードケース１３の支軸２６が凹溝２７に嵌まった状態では上下挟持部２０，２１の弾性復元力は作用しておらず、従って、カードケース１３は摩擦抵抗を全く感じることなく支軸２６を中心にして上向きに跳ね上げ回動させることができる。
【００３８】
このため、カードケース１３を下段フック体２の手前部に位置させておいても、商品の出し入れには全く支障はない。図２に示すように、カードケース１３をはね上げると、カードケース１３の上端面が本体部１１の前壁１９に当たるように設定している。買い物客がカードケース１３をはね上げて商品を取り出す場合は、カードケース１３が跳ね上がったままにならないように、自重でも戻るように、跳ね上げ切った状態で重心が支軸２６の手間に位置するように設定しておくのが望ましい。
【００３９】
他方、店員が商品を下段フック体２に補給するに際してカードケース１３が邪魔になる場合は、カードケース１３は跳ね上げきった状態に保持されているのが好ましい。この点については、前壁１９とカードケース１３、或いは支軸２６と上下挟持部２０，２１等に、弾性に抗しての変形によって跳ね上げ状態が保持される係合手段を設けておいたら良い。
【００４０】
図２に一点鎖線で示すように、ブリッジ部２２の下面に、上挟持部２０の下面よりも下向きに下がった段部を２２ａを形成して、支軸２６を押し込むに際してのストッパー部と成すことも可能である。この場合は、ブリッジ部２２は上面も段落ちさせて撓み変形を容易ならしめるのが好ましい。なお、ブリッジ部２２は上挟持部２０より薄くしても良いのである。
【００４１】
本実施形態では、カードケース１３の裏板２３と表板２４とは別部材に構成しており、爪２８を利用して表板２４を裏板２３に取付けている。勿論、カードケース１３は様々の構造を採用できる。例えば、表板２４を蝶番式にして裏板２３に一体化したり、或いは、裏板２３と表板２４とを側面視Ｕ字状に連続させて両者の間にカード類を差し込むようにしたり、或いは、表板２４を無くして裏板２３の前面にカード類を貼り付けるといったことも可能である。
【００４２】
(4).取付けの手順・まとめ
カード類表示具１１を上段フック体３に取り付けるのは、図３に示す手順で行う。すなわち、白抜き矢印で示すように、先ず、カード類表示具１１を第１下ストッパー部１４が下向きとなるように略鉛直状の姿勢にして第１下ストッパー部１４と上ストッパー部１５との間の部分を上段フック体３の上向き部３ａに上方から嵌め入れ、次いで、上ストッパー部１５を上段フック体３のカーブに沿って滑らせるようにしてカード類表示具１１の姿勢を水平状に変えて行き、それから奥にスライドさせるのである。
【００４３】
カード類表示具１１が水平姿勢になると左右の側板１２ａで上段フック体３の上向き部３ａが左右から挟まれるため、カード類表示具１１は上段フック体３の軸心回りに回転することはなく、安定した姿勢に保持される。取り外しは逆の手順で行われる。
【００４４】
図２に示すように、カードケース１３は下段フック体２の手前に配置できるため、カードケース１３を下段フック体２に対する保護部材として機能させることができ、このため、人が誤って下段フック体２の先端に顔を当てるように事故を防止できる。上ストッパー部１５の先端と下段フック体２の先端との間隔寸法はメーカーによって違いがあるが、本実施形態のようにカード類表示具１１を前後位置調節できる構成にすると、寸法の違いを吸収してカードケース１３を常に下段フック体２の手前部に配置できる利点がある。
【００４５】
本実施形態では、図２に示すように、カードケース１３における裏板２３がした下挟持部２１のテーパ状外周面に当たるように設定している。このため、カードケース１３はその表示面が鉛直に対してやや後傾した姿勢に安定的に保持される。また、カードケース１３の水平姿勢を変えるに際しては裏板２３が下挟持部２１の外周面に当たって周回するため、支軸２６を凹溝２７に嵌め変えて姿勢変更することがスムースに行われる。
【００４６】
(5).第２実施形態の構造
図４〜図７では第２実施形態を示している。図４のうち（Ａ）は平面図、（Ｂ）は側面図、（Ｃ）は（Ａ）のＣ−Ｃ視断面図、（Ｄ）は（Ｂ）のＤ−Ｄ視断面図、（Ｅ）は（Ｂ）のＥ−Ｅ視断面図、図５のうち（Ａ）は部分的な分離平面図、（Ｂ）は（Ａ）のＢ−Ｂ視断面図、図６のうち（Ａ）は部分的な分離側面図、（Ｂ）は図４（Ａ）のVI−VI視断面図、（Ｃ）は（Ｂ）のＣ−Ｃ視断面図、（Ｄ）は（Ｂ）のＤ−Ｄ視断面図、図７のうち（Ａ）は取付けの手順を示す図、（Ｂ）は支持部の底面図、図８は取付けの手順を示す図である。
【００４７】
この第２実施形態はシングル式のフック装置に適用したものであり、フック装置は、ベース体１の上面に第１実施形態の下段フック体２と同様の形態のフック体６を溶接した構造になっている。フック体６の先端には傾斜部６ａを形成している。
【００４８】
この実施形態のカード類表示具１１は、フック装置の後端部に取り付けられる本体３２と、本体３２に取付けられるカードケースとからなっており、カードケース１３は表示を省略しているが第１実施形態と同じものである。
【００４９】
本体３２は、ベース体１から上向きに立ち上がる支持部３３と、支持部３３の上端から前向きに延びるアーム部３４と、アーム部３４の前端に設けた上下の挟持部２０，２１とを主要要素としており、上下の挟持部２０，２１は基本的には第１実施形態と同じ構造になっている。但し、本実施形態のアーム部３４は第１実施形態の本体部１２よりは上下高さ寸法が小さいので、アーム部３４の前端に上向きの支柱部２２ａを設けて、この支柱部２２ａにブリッジ部２２を介して上挟持部２０が設けられている。図４（Ｂ）に一点鎖線で示すように、柱部２２ａとアーム部３４とを傾斜状のリブ２２ｂで連結して強度を確保しても良い。
【００５０】
アーム部３４は下向きに開口した樋状（チャンネル状）の形態になっており、その任意の部位とフック体６との間につっかい棒３５をスライド自在に介在させることができる。つっかい棒３５は、アーム部３４の内部にスライド自在に嵌まる頭部３４ａと、フック体６を軽く挟持するクランプ部３４ｂとを備えている。いうまでもないが、アーム部３４は丸棒状や角棒状など任意の断面形状を採用できる。
【００５１】
支持部３３は左右側板３３ａと前板３３ｂと後面板３３ｃと抱持部３３ｄとを備えて中空の角形に形成されており、左右側板３３ａの下端にはベース体１の上に重なる左右の下板３６が一体に形成されている。この下板３６の存在により、支持部３３はフック体６の軸心回りに回転しないように安定良く保持される。また、左右側板３３ａと抱持部３３ｄとでトンネル状の形態を成しており、このため、フック体６は左右及び上方から抱持される。
【００５２】
図５（Ｂ）に示すように、フック体６は丸棒製であるため、フック体６の後部とベース体１の上面との間には前後長手の横向き開口溝７が形成されている。そこで、図６（Ｄ）に明示するように、支持体３３の下端には、フック装置の横向き開口溝７に入り込む左右一対のリアストッパー部３７を形成している。このリアストッパー部３７は、支持部３３の後部側に偏った状態で形成されている（その意義は後述する）。また、支持部３３の後端はフック体６の後端よりも手間に位置しており、かつ、下板３６とリアストッパー部３７とは支持部３３の後端よりも後方にはみ出ている。
【００５３】
また、左右の下板３６はベース体１の前面から手前に僅かにはみ出ており、左右のはみ出し部３６ａを利用してフック体６の下面に位置したフロントストッパー部３８を形成している。支持部３３における前板３３ｂの下端とフロントストッパー部３８との間（或いは、支持部３３における挟持部３３ｄの前端とフロントストッパー部３８との間）には、フック体６に嵌め込み可能な間隔（空間）が空いている。
【００５４】
リアストッパー部３７の存在により、カード類表示具１１は下向きに倒れない状態に保持されており、また、フロントストッパー部３８の存在により、例えば商品を取り出すに際して誤ってアーム部３４を上向きに大きく突き上げてもカード類表示具１１が外れることはない。
【００５５】
図６（Ａ）に一点鎖線で示すように、支持部３３の全体をベース体１の手前にオーバーハングさせて、挟持部３３ｄの前部とフロントストッパー部３８とを平面視で重なる状態にすることも可能である。取付け強度を向上させるにはこの形態が好ましい。
【００５６】
(6).第２実施形態の取付け手順・まとめ
第２実施形態のカード類表示具１１を取り付けるに当たっては、まず、図７に示すように、カード類表示具１１を上下ひっくり返してなおかつカードケースが上になるように斜めの姿勢にして、その状態でフロントストッパー部３８と前板３３ｂとの間の空間をフック体６の先端に嵌め入れ、フック体６のカーブに沿って姿勢を変えながら奥に押し込むことで支持部３３をフック体６の水平部まで移動させる。
【００５７】
そして、フロントストッパー部３８がフック体６の水平部に移動すると、アーム部３４とフック体６とは平行になるので、図８に示すように、カード類表示具１１をフック体６の軸心回りに回動させることでアーム部３４が上になるように姿勢を変えて、それから、支持部３３がベース体１の上面に重なるようにスライドさせる。すると、リアストッパー部３７がフック装置の横向き開口溝７に嵌まり込むと共に、フロントストッパー部３８がフック体６の下面箇所に位置して、取付けが完了する。取り外しは逆の手順で行う。
【００５８】
この第２実施形態でも、カード類表示具１１はフック装置に軽い力で簡単に取り付けることができ、また、リアストッパー部３７とフロントストッパー部３８とが前後及び上下に離反して配置されているため、フック装置に対してカード類表示具１１をしっかりと取付けできる。また、リアストッパー部３７は下板３６（或いは側板３３ａ）の後半寄り部位に偏って設けているため、図７（Ａ）に示すように、支持部３３をフック体６の前端部に嵌め込むに際してリアストッパー部３７が抵抗として作用することはなく、このため嵌め込みを軽い力で行うことができる。
【００５９】
上記の取付け方法では、カード類表示具は殆ど抵抗無しでフック装置に取付けることができるが、図７に一点鎖線で示すように、支持部３３を上向きにした姿勢でフック体６の前端部に嵌め込むことも可能である。この場合は支持部３３を若干弾性変形させる必要がある。
【００６０】
フック装置は、フック体６の長さが相違するものが何種類かあるが、１種類のカード類表示具１１でフック体６の長さの違いに対応するには、アーム部３４をインナー部材とアウター部材とがスライド自在に嵌まり合った２パーツ式としたら良い。つっかい棒３５は最奥の位置まで押し込んでおいても良い。
【００６１】
図６（Ｂ）に一点鎖線で示すように、下板３６の後端に、ベース体１の後面に当たる下向き突起３６ｄを設けることも可能である。この下向き突起のような係止手段を設けると、何らかの理由でカード類表示具１１に前向きの外力が作用しても簡単には外れない利点がある。下板３６の後端を下向きに曲げることで下向き突起３６ｄと成しても良いし、また、突起等の係止手段はフック体６の後端面に当てることも可能であり、この場合は、係止手段は支持部３３に形成しても良い。
【００６２】
(7).第２実施形態（図９）
図９では第３実施形態を示している。この実施形態は第１実施形態の変形例であり、第１実施形態との相違点は、下ストッパー部としては第２下ストッパー部１６しか備えておらずに上ストッパー部１５と第２下ストッパー部１６との間に上段フック体３の外径よりもやや大きい前後間隔が空いている点と、上段フック体３における上向き部３ａの上端に当接する天板部１２ｄとを備えている点である。
【００６３】
この実施形態は、第２下ストッパー部１６を挟んだ前後に天板部１２ｄと上ストッパー部１５とが配置されていることによって三点支持の状態になっており、このため、カード類表示具１１は上方からの外力と下方からの外力との両方に抗して姿勢が保持される。
【００６４】
このカード類表示具の取付けは、水平状の姿勢のままで上ストッパー部１５と第２下ストッパー部１６との間の部分から上段フック体３の上向き部３ａに嵌め入れ、次いで、全体を奥にスライドさせる、という手順で行われる。カード類表示具１１はある程度の力で引っ張ると、取り出すことができるが、店舗では、カード類表示具１１には押し込み方向の強い外力が作用することはあっても引っ張りの強い外力が作用することは殆どないため、不測に外れることはないと言える。
【００６５】
(8).その他
本願発明は上記の実施形態の他にも様々に具体化できる。例えば、表示部として本体部とは別部材のカードケースを設ける必然性はないのであり、本体部に表示部を一体成形することも可能である。また、本体部とは別部材のカードケースを使用する場合、カードケースの形態や取付け構造には限定がないことはいうまでもない。
【図面の簡単な説明】
【００６６】
【図１】第１実施形態の構造を示す図で、（Ａ）は平面図、（Ｂ）は側面図、（Ｃ）は（Ｂ）のＣ−Ｃ視断面図である。
【図２】図１（Ａ）の II-II視断面図である。
【図３】第１実施形態の取付けの手順を示す断面図である。
【図４】第２実施形態を示す図で、（Ａ）は平面図、（Ｂ）は側面図、（Ｃ）は（Ａ）のＣ−Ｃ視断面図、（Ｄ）は（Ｂ）のＤ−Ｄ視断面図、（Ｅ）は（Ｂ）のＥ−Ｅ視断面図である。
【図５】（Ａ）は部分的な分離平面図、（Ｂ）は（Ａ）のＢ−Ｂ視断面図である。
【図６】（Ａ）は部分的な分離側面図、（Ｂ）は図４（Ａ）のVI−VI視断面図、（Ｃ）は（Ｂ）のＣ−Ｃ視断面図、（Ｄ）は（Ｂ）のＤ−Ｄ視断面図である。
【図７】取付けの手順を示す図である。
【図８】取付けの手順を示す図である。
【図９】第３実施形態を示す図である。
【符号の説明】
【００６７】
１  フック装置のベース体
２  下段フック体
３  上段フック体
３ａ  上向き部
１１  十手式用のカード類表示具
１２  本体部
１２ａ  側板
１３  カードケース
１４  下ストッパー部
１５  上ストッパー部
２０，２１  カードケースを保持するための挟持部
３２  本体
３３  支持部（起立部）
３４  アーム部
３７  リアストッパー部
３８  フロントストッパー部
【図１】
2009018039.tif 000003
【図２】
2009018039.tif 000004
【図３】
2009018039.tif 000005
【図４】
2009018039.tif 000006
【図５】
2009018039.tif 000007
【図６】
2009018039.tif 000008
【図７】
2009018039.tif 000009
【図８】
2009018039.tif 000010
【図９】
2009018039.tif 000011